(57)【要約】    【課題】シングルＣＤ挿入防止機能とセンタリング機能とを備えたディスク挿入規制装置を、筐体を大型化せずに組み込むことができるようにコンパクトに構成する。    【解決手段】ディスク挿入スロットに沿って接離移動自在なようにラック／ピニオン機構を介して一対のスライド体を連動連結し、最接近位置が小径ディスクの直径よりも小さな間隔となるように一対のスライド体のそれぞれに一対のガイド部材を固設し、一対のガイド部材のそれぞれに回動自在且つ常時回動中立位置へ向けて付勢されたロック部材を設けると共に、最接近位置において回動中立位置にある一対のロック部材に係合可能に筐体と一体をなす部分に一対のストッパ突起を固定し、小径ディスクを挿入してもストッパ突起との係合が外れる位置までロック部材が回動し得ず、大径ディスクを挿入するとストッパ突起との係合が外れる位置までロック部材が回動し得るようにする。【選択図】図１
2006127703.tif 000002
【特許請求の範囲】
【請求項１】
ディスク挿入スロットから差し込まれた情報記録ディスクを筐体内の所定位置に自動的に引き込み且つエジェクト指令を与えると自動的に排出するディスク搬送機構を備えたディスクドライブ装置のためのディスク挿入規制装置であって、
前記スロットに沿って接離移動自在なようにラック／ピニオン機構を介して連動連結された一対のスライド体と、
小径ディスクの直径よりも最接近位置が小さな間隔となるように前記一対のスライド体のそれぞれに固設された一対のガイド部材と、
該一対のガイド部材のそれぞれに回動自在に設けられ且つ常時回動中立位置へ向けて付勢されたロック部材と、
最接近位置において回動中立位置にある前記一対のロック部材に係合可能に筐体と一体をなす部分に固定された一対のストッパ部材とを有し、
前記スロットの挿入方向中心線上に前記ディスクの中心を合致させた状態で前記一対のガイド部材に前記ディスクの外周を押し当てようとした時に、小径ディスクの場合は前記ストッパ部材との係合が外れる位置まで前記ロック部材が回動し得ず、大径ディスクの場合は前記ストッパ部材との係合が外れる位置まで前記ロック部材が回動し得るように各部の位置関係が設定されていることを特徴とするディスク挿入規制装置。
【発明の詳細な説明】
【技術分野】
【０００１】
本発明は、小径ディスクの挿入を阻止するディスク挿入規制装置に関し、特に、情報記録ディスクをディスク挿入スロットに差し込むと筐体内の所定位置に自動的に引き込み、エジェクト指令を与えると自動的に排出するディスク搬送機構を備えたディスクドライブ装置のためのディスク挿入規制装置に関するものである。
【背景技術】
【０００２】
本出願人は、音楽情報などが記録されたコンパクトディスク（以下ＣＤと略称する）を再生する車載用ＣＤプレーヤにおけるＣＤの搬送機構として、ＣＤの外周に当接する搬送ローラを筐体内の一側に設けたものを、特願２００４−８２４９号明細書において提案した。
【０００３】
この構成によると、限られた寸法の筐体内に搬送機構を設置する都合上、外径寸法が８ｃｍの所謂シングルＣＤに搬送ローラの可動範囲を対応させることは困難である。そのため、もしも操作者がシングルＣＤに対応していないことを認識せずにシングルＣＤを筐体内に挿入すると、搬送機構に拘束されないために最悪の場合はシングルＣＤが筐体内に落ち込んでしまい、取り出せなくなることがあり得た。
【０００４】
このような不都合に対処するためのシングルＣＤ挿入防止装置が、例えば特許文献１に提案されている。
【０００５】
他方、ＣＤの搬送を安定させるには、ＣＤ挿入スロットの左右方向中央位置に自動的にＣＤが案内されるようになっていることが好ましく、そのためのセンタリング装置が、例えば特許文献２に提案されている。
【特許文献１】特開平１１−１４９６８８号公報
【特許文献２】特開平１１−１１０８７５号公報
【発明の開示】
【発明が解決しようとする課題】
【０００６】
しかるに、上記文献１、２に記載の技術によると、いずれも筐体内にて再生位置にあるＣＤの一部と対向する位置に装置を設置しなければならない。そのため、特に複数のディスクを予め格納しておき、そのうちの一つを選択的に再生する所謂ディスクチェンジャ機構を備えたＣＤプレーヤにこれらの文献に記載のシングルＣＤ挿入防止装置とセンタリング装置とを同時に設けようとすると、筐体を大幅に大型化せざるを得ない。このことは、特に設置スペースの制約が大きい車載用ＣＤプレーヤに適用する際に大きな障害となることを意味している。
【０００７】
本発明は、このような従来技術の不都合を解消すべく案出されたものであり、その主な目的は、シングルＣＤ挿入防止機能とセンタリング機能とを備えたディスク挿入規制装置を、筐体を大型化せずに組み込むことができるようにコンパクトに構成することにある。
【課題を解決するための手段】
【０００８】
このような課題を解決するために、本発明は、ディスク挿入スロット３に沿って接離移動自在なようにラック／ピニオン機構（３４a・３４ｂ・３５）を介して連動連結された一対のスライド体３３と、最接近位置が小径ディスク（８ｃｍＣＤ）の直径よりも小さな間隔となるように一対のスライド体のそれぞれに固設された一対のガイド部材３７と、一対のガイド部材のそれぞれに回動自在に設けられ且つ常時回動中立位置へ向けて付勢されたロック部材３９と、最接近位置において回動中立位置にある一対のロック部材（ロック突起４２）に係合可能に筐体と一体をなす部分に固定された一対のストッパ部材（ストッパ突起４５）とを有し、スロットの挿入方向中心線上にディスク中心を合致させた状態で一対のガイド部材にディスクの外周を押し当てようとした時に、小径ディスクの場合はストッパ部材との係合が外れる位置までロック部材が回動し得ず、大径ディスク（１２ｃｍＣＤ）の場合はストッパ部材との係合が外れる位置までロック部材が回動し得るように各部の位置関係が設定されたディスク挿入規制装置を提供することとした。
【０００９】
この機構によれば、一対のスライド体は、一対のストッパ部材とロック部材との係合が同時に外れない限り移動し得ない。従って、小径ディスクの挿入時には、一対のロック部材が同時に回動し得ないので、最接近位置に固定された一対のガイド部材にてディスクの挿入が阻止される。これに対して大径ディスクの挿入時には、一対のロック部材が同時に回動して一対のストッパ部材との係合が外れるので、一対のスライド体は大径ディスクの外周に押されて挿入方向中心から振り分けに等距離移動する。従って、大径ディスクは一対のガイド部材によってセンタリングされた状態のまま筐体内に搬送される。
【発明の効果】
【００１０】
本発明によれば、ディスクセンタリング機構と小径ディスク挿入防止機構とを兼用し得るため、装置を極めてコンパクトに構成し得ることとなり、筐体を大型化せずに済む。しかも他の機構に影響を及ぼさずにディスク挿入スロットの開口部に付設することができるので、搬送装置や再生装置などを殆ど変更せずに実施することができ、製造コストの増大も最小限に抑えることができる。
【発明を実施するための最良の形態】
【００１１】
以下に添付の図面を参照して本発明について詳細に説明する。
【００１２】
図８は、本発明が適用される車載用ディスクドライブ装置の上面図である。このディスクドライブ装置１の筐体は、１ＤＩＮの規格に則って形成されており、その前面パネル２には、直径１２ｃｍのＣＤの挿入に対応し得るスロット３が開口し、筐体内の中央部には、ＣＤを保持するトレイ４が設けられ、筐体の奥側には、ディスククランパ、駆動モータ付きターンテーブル、データ読み取りヘッド及びヘッド駆動モータ等を支持したドライブアーム５が、筐体の底板上に立設された垂直軸に旋回動自在に枢着されている。また筐体の奥側の右隅には、オートチェンジャ機構に駆動力を与えるチェンジャ駆動装置６が設けられ、上部には、左右のオートチェンジャ機構７Ｌ・７Ｒを連動させる連動軸８が延設されている。
【００１３】
なお、オートチェンジャ機構は、前後方向にスライドするカム板の傾斜カム溝に係合させて多段に重ね合わせた複数のトレイ全体を昇降させるトレイベースと、所定段のトレイのみを選択的に再生位置にセットするためのカム溝が形成されたもう一つの前後方向にスライドするカム板とを備えた公知の構成をそのまま流用し得るので、ここではその説明を省略する（オートチェンジャー機構に関して必要ならば、特開平１１−２９６９５４号公報を参照されたい）。
【００１４】
スロット３の右端には、水平状態のＣＤの外周部が通過し得る溝を有する固定ガイド部材９が設けられ、トレイ４の右側端部には、固定ガイド部材９と連係してＣＤの外周部を案内するガイド部１０と、挿入されるＣＤの逸脱を防止すべくガイド部１０の上方を覆う可動ガイド板１０ａとが設けられている。またトレイ４の左側方におけるスロット３側の隅部には、複数のローラからなるディスク搬送機構１１が設けられている。
【００１５】
筐体の天板（図１においては除去されている）の下面には、再生時に搬送機構１１をＣＤと干渉しない位置へ退避させるための第１レリーズレバー１２の中間部が左側に枢着され、同じく再生時に可動ガイド板１０をＣＤと干渉しない位置へ退避させるための第２レリーズレバー１３の中間部が右側に枢着され、最上段のトレイの上面に重ね合わされたアッパプレート１４に下向きの押圧力を作用させる押圧板１５の一端が、スロット３側の端縁部に枢着されている。
【００１６】
押圧板１５は、その遊端に組み込まれたローラ１６をアッパプレート１４の上面に常時転動接触させるように、枢軸に巻装された捩りコイルばね（図示せず）によって弾発付勢されている。これにより、多段のトレイ４をがたつかないように安定させている。
【００１７】
搬送機構１１は、筐体の底板上に固定されたセンタ軸２１にそれぞれの一端が枢着され、且つそれぞれの遊端が互いに反対方向へ延出された２つのアーム２２・２３と、両アーム２２・２３の遊端に軸支された第１搬送ローラ２４及び第２搬送ローラ２５と、センタ軸２１に枢着された中間ローラ２６とを備えている。そして中間ローラ２６が第１搬送ローラ２４の下方に設置された搬送モータ２７の駆動軸とベルト連結され、中間ローラ２６と第２搬送ローラ２５並びに第１搬送ローラ２４とがそれぞれベルト連結されている。これらにより、搬送モータ２７の駆動力で中間ローラ２６が回転し、この回転に連れて第１、第２、搬送ローラ２４・２５が同時に同一方向へ回転するようになっている。
【００１８】
第１搬送ローラ２４は、スロット３に近接配置され、スロット３から挿入されたＣＤの外周の左側に当接して筐体内へＣＤを引き込み、且つエジェクト時に筐体内から搬送されたＣＤを、スロット３外のＣＤを回収できる位置まで押し出す機能を備えている。また第２搬送ローラ２５は、トレイ４の左側方、すなわちトレイ４上に載置されたＣＤに当接可能な位置に設けられ、この回転により、筐体外から搬送されてきたＣＤをトレイ４上に載置させ、且つエジェクト時にトレイ４からＣＤを離脱させる機能を備えている。そして中間ローラ２６は、第１搬送ローラ２４と第２搬送ローラ２５との間でＣＤの受け渡しを行うガイドとしての機能を備えている。
【００１９】
第１、第２各搬送ローラ２４・２５を個々に支持する２つのアーム２２・２３には、センタ軸２１に巻装された捩りコイルばね（図示せず）の遊端が係止しており、互いの挟み角を小さくする向きに弾発付勢されている。これにより、第１、第２両搬送ローラ２４・２５が、ＣＤの外周に向けて弾発付勢されている。なお、自然状態時の両アーム２２・２３の挟み角は、機械的なストッパ（図示せず）にて図８に示す位置に規定されている。
【００２０】
図１は、本発明に基づき構成されたディスク挿入規制装置３１の正面図である。このディスク挿入規制装置３１は、左右方向に細長いロ字形をなす枠体３２と、左右方向にスライド自在なように枠体３２の上下梁の対向内面に係合した左右一対のスライド体３３ａ・３３ｂとからなり、前面パネル２のＣＤ挿入スロット３に対応する位置に固定されるものである。
【００２１】
一対のスライド体３３ａ・３３ｂは、例えば、枠体３２の上下梁に形成されたガイドスロットにピンを係合させる等してその移動軌跡が規定されており、各スライド体３３ａ・３３ｂと一体をなすラック３４ａ・３４ｂと枠体３２の下梁の前面の適所に枢着されたピニオン３５とからなる連動機構を介して互いに連結されており、一方の動きが他方に等しく伝達され、スロット３の左右方向中心に対して一対のスライド体３３ａ・３３ｂが互いに等距離を接離移動するようになっている。
【００２２】
一対のスライド体３３ａ・３３ｂは、金属板を曲げ加工してなり、正面視コ字形をなす部分（コ字形部）３６ａ・３６ｂが左右対称形に配置されており、これらのコ字形部３６ａ・３６ｂの上下の壁間にガイド部材３７ａ・３７ｂが固定されている。これらのガイド部材３７ａ・３７ｂのスロット中心側（以下内側）を向く面には、図２並びに図３に併せて示すように、上下にテーパ面を有する横向きのＶ字溝３８が形成されており、スロット３に挿入されたＣＤの上下及び左右位置をＶ字溝３８の底で規定するようになっている。
【００２３】
ガイド部材３７ａ・３７ｂには、垂直軸回りで回動するロック部材３９ａ・３９ｂが枢着されている。このロック部材３９ａ・３９ｂは、その頂部が内側を向く略二等辺三角形をなす水平板４０と、ガイド部材３７ａ・３７ｂのＶ字溝３８に対応する部分を前後から挟むように水平板４０のスロット外端側（以下外側）を向く部分から前後対称形に垂設された垂下片４１とからなっている。
【００２４】
水平板４０の内側端の上面には、内側が尖った上面視が矢尻形をなすロック突起４２が突設されている。このロック突起４２は、スライド体の基部３６ａ・３６ｂの上壁に形成された切り欠き孔４３から上方へ突出している。また水平板４０の内側端とスライド体の基部３６ａ・３６ｂの上壁の内側端との間にはコイルばね４４が張設されており、外力が作用しない状態では、水平板４０の横方向中心線がスライド体３３ａ・３３ｂの移動中心線と平行に延在するようにされている。
【００２５】
一対のスライド体３３ａ・３３ｂは、図示されないばね手段により、最接近位置へ向けて常時弾発付勢されると共に、そのＶ字溝３８同士の間隔が８ｃｍＣＤが通過し得ないようにその内側への移動限度位置が設定されている。そして、枠体３２の上梁の下面における一対のスライド体３３ａ・３３ｂが最接近した位置でロック突起４２の外側にてロック突起４２と横一線に並ぶ位置に、一対のストッパ突起４５が突設されている。
【００２６】
ここでＶ字溝３８と垂下片４１との関係は、図５並びに図６に示すように、スロット３の挿入方向中心線上にその中心を置いた８ｃｍＣＤの外周がＶ字溝３８の底に突き当たった時に、垂下片４１が８ｃｍＣＤの外周にぎりぎり接触するかしないかとなるように定められている。
【００２７】
次に本発明によるディスク挿入規制装置の作動要領について説明する。
【００２８】
図４に示したように、８ｃｍＣＤを左右方向の例えば右方に片寄せてスロット３に挿入すると、右方のガイド部材３７ｂに枢着されたロック部材３９ｂの垂下片４１が８ｃｍＣＤの外周に押されて水平板４０が傾動する。しかし、左方のロック部材３９ａは、８ｃｍＣＤの外周が垂下片４１に当接しないので傾動しない。そのため、右方のロック突起４２はストッパ突起４５から外れるが、左方のロック突起４２はストッパ突起４５から外れない（図５の状態）。一対のスライド体３３ａ・３３ｂはラック／ピニオンからなる連動機構で連結されており、一方のロック突起４２がストッパ突起４５から外れただけでは共に離間方向へ移動し得ず、両ガイド部材３７ａ・３７ｂが最接近位置に保たれるため、８ｃｍＣＤの挿入が阻止される。
【００２９】
ここでスロット３の中心と８ｃｍＣＤの中心とが合致しても（図６に示す状態）、８ｃｍＣＤの外周輪郭の曲率では両ロック部材３９ａ・３９ｂの垂下片４１が８ｃｍＣＤの外周に接触しても両ロック部材３９ａ・３９ｂは回動しないため、両ガイド部材３７ａ・３７ｂの最接近位置が保たれて８ｃｍＣＤの挿入が阻止される。
【００３０】
１２ｃｍＣＤを挿入すると、１２ｃｍＣＤの外周輪郭の曲率だと一対のロック部材３９ａ・３９ｂの垂下片４１に１２ｃｍＣＤの外周が同時に突き当たるようになっているので、一対のロック部材３９が共に回動する。すると左右のロック突起４２が対応するストッパ突起４５から同時に外れるため、両スライド体３３ａ・３３ｂが外側へ移動可能となる（図７に示す状態）。両スライド体３３ａ・３３ｂはスロット３の中心から左右振り分けに動くため、１２ｃｍＣＤは自動的にセンタリングされて筐体内に挿入される。
【００３１】
１２ｃｍＣＤが筐体内に所定量入り込むと、搬送機構１１が起動して１２ｃｍＣＤが自動的に再生位置へ引き込まれる。
【００３２】
１２ｃｍＣＤがスロット３を通過するに従って、両スライド体３３ａ・３３ｂはばね力の作用で最接近位置へ向けて移動する。ここでロック突起４２の内端部とストッパ突起４５の外端部とには共にテーパ面が形成されており、ストッパ突起４５の外端側にロック突起４２の内端が突き当たると、ロック突起４２がストッパ突起４５から逃げるようになっている。これにより、ロック突起４２がストッパ突起４５をすり抜け、最終的には、ロック突起４２とストッパ突起４５とが横一線に並ぶ両スライド体３３ａ・３３ｂの最接近位置保持状態に自動復帰する。
【００３３】
排出の際は、ロック部材３９ａ・３９ｂが前後対称形をなしているので、挿入時と同様の要領で一対のロック部材３９ａ・３９ｂの垂下片４１が１２ｃｍＣＤの外周で筐体内から押されてロックが解除され、両スライド体３３ａ・３３ｂがスロット３の中心から左右振り分けに動いて１２ｃｍＣＤの通過を許容する。１２ｃｍＣＤが排出されるのに応じて両スライド体３３ａ・３３ｂが最接近位置保持状態に自動復帰することは、上記の挿入時の動作と同様である。
【産業上の利用可能性】
【００３４】
本発明にかかるディスク挿入規制装置は、異径の円板状物体を選択的に通過させたい場合に等しく適用可能であり、ＤＶＤプレーヤにも勿論適用可能である。
【図面の簡単な説明】
【００３５】
【図１】本発明装置の正面図である。
【図２】本発明装置の部分的な拡大正面図である。
【図３】本発明装置の部分的な斜視図である。
【図４】本発明装置のロック解除状態を示す部分的な平面図である。
【図５】本発明装置のロック状態を示す部分的な平面図である。
【図６】８ｃｍＣＤの通過阻止状態を示す説明図である。
【図７】１２ｃｍＣＤの通過開始状態を示す説明図である。
【図８】本発明が適用されるＣＤドライブ装置の機構図である。
【符号の説明】
【００３６】
３  ディスク挿入スロット
３４a・３４ｂ  ラック
３５  ピニオン
３７  ガイド部材
３９  ロック部材
４０  水平板
４１  垂下片
４２  ロック突起
４４  コイルばね
４５  ストッパ突起
【図１】
2006127703.tif 000003
【図２】
2006127703.tif 000004
【図３】
2006127703.tif 000005
【図４】
2006127703.tif 000006
【図５】
2006127703.tif 000007
【図６】
2006127703.tif 000008
【図７】
2006127703.tif 000009
【図８】
2006127703.tif 000010